【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
光学像を電気信号に変換する撮像素子を有する撮像装置であって、
ファインダ内の複数の焦点検出エリアからいずれかの焦点検出エリアを選択する選択手段と、
前記選択手段により選択された焦点検出エリアに対応する位置にいる被写体である主被写体に、撮影レンズのフォーカスを固定するフォーカスロック手段と、
前記撮像装置の振れを検出する振れ検出手段と、
前記振れ検出手段の検出結果に基づいて、前記フォーカスロック手段によりフォーカスを固定した時点から撮影を行なう時点までの間の前記主被写体の位置ずれ量を算出し、前記主被写体の位置を予測する予測手段と、
前記撮像素子により撮影された画像から、前記予測手段により予測された前記主被写体の位置付近の画像を切り出して人物の顔を検出する顔検出手段と、
を具備することを特徴とする撮像装置。
【請求項２】
前記撮像装置による撮影時の前記主被写体までの距離と、前記撮影レンズの焦点距離とに応じて、前記切り出す画像領域の大きさを変更することを特徴とする請求項１に記載の撮像装置。
【請求項３】
光学像を電気信号に変換する撮像素子を有する撮像装置であって、
ファインダ内の複数の焦点検出エリアからいずれかの焦点検出エリアを選択する選択手段と、
前記選択手段により選択された焦点検出エリアに対応する位置にいる被写体である主被写体に、撮影レンズのフォーカスを固定するフォーカスロック手段と、
被写体輝度を検出する複数の画素を有する測光センサと、
前記フォーカスロック手段によりフォーカスを固定した前記主被写体の位置付近の前記測光センサの出力パターンを切り出して記憶する記憶手段と、
撮影時の前記測光センサの出力パターンと、前記記憶手段に記憶されている前記測光センサの出力パターンとを比較して、撮影時の前記主被写体の位置を予測する予測手段と、
前記撮像素子により撮影された画像から、前記予測手段により予測された前記主被写体の位置付近の画像を切り出して人物の顔を検出する顔検出手段と、
を具備することを特徴とする撮像装置。
【請求項４】
前記撮像装置による撮影時の前記主被写体までの距離と、前記撮影レンズの焦点距離とに応じて、前記記憶手段に記憶する前記測光センサの出力パターンと、前記撮像素子により撮影された画像から切り出す切り出し画像領域の大きさを変更することを特徴とする請求項３に記載の撮像装置。
【請求項５】
連写撮影を行なう場合に、前記顔検出手段は、１駒目に切り出して前記記憶手段に記憶した前記測光センサの出力パターンを、２駒目以降に使用して人物の顔を検出することを特徴とする請求項３に記載の撮像装置。
【請求項６】
前記撮像装置による撮影時の前記主被写体までの距離と、前記撮影レンズの焦点距離とに応じて、２駒目以降に使用する、前記記憶手段に記憶した前記測光センサの出力パターンと、前記撮影された画像から切り出す切り出し画像領域の大きさを変更することを特徴とする請求項５に記載の撮像装置。
【請求項７】
前記撮影レンズをマニュアルで操作してフォーカスを合わせる場合は、前記主被写体の位置付近の画像の切り出しを行なわず、撮影した画像の全画面で人物の顔を検出することを特徴とする請求項３に記載の撮像装置。
【請求項８】
撮影時の前記測光センサの出力パターンと、前記記憶手段に記憶されている前記測光センサの出力パターンとを比較して、撮影時の前記主被写体の位置を予測することができなかった場合に、前記主被写体の位置付近の画像の切り出しを行なわず、撮影した画像の全画面で人物の顔を検出することを特徴とする請求項３に記載の撮像装置。
【請求項９】
前記撮影した画像の全画面で人物の顔を検出した場合に比べて前記主被写体の位置付近の画像を切り出した画像から人物の顔を検出した場合のほうが、顔の確からしさを高く設定することを特徴とする請求項７または８に記載の撮像装置。
【請求項１０】
光学像を電気信号に変換する撮像素子と、ファインダ内の複数の焦点検出エリアからいずれかの焦点検出エリアを選択する選択手段と、該選択手段により選択された焦点検出エリアに対応する位置にいる被写体である主被写体に、撮影レンズのフォーカスを固定するフォーカスロック手段と、を有する撮像装置を制御する方法であって、
前記撮像装置の振れを検出する振れ検出工程と、
前記振れ検出工程の検出結果に基づいて、前記フォーカスロック手段によりフォーカスを固定した時点から撮影を行なう時点までの間の前記主被写体の位置ずれ量を算出し、前記主被写体の位置を予測する予測工程と、
前記撮像素子により撮影された画像から、前記予測工程において予測された前記主被写体の位置付近の画像を切り出して人物の顔を検出する顔検出工程と、
を具備することを特徴とする撮像装置の制御方法。
【請求項１１】
光学像を電気信号に変換する撮像素子と、ファインダ内の複数の焦点検出エリアからいずれかの焦点検出エリアを選択する選択手段と、該選択手段により選択された焦点検出エリアに対応する位置にいる被写体である主被写体に、撮影レンズのフォーカスを固定するフォーカスロック手段と、被写体輝度を検出する複数の画素を有する測光センサと、を有する撮像装置を制御する方法であって、
前記フォーカスロック手段によりフォーカスを固定した前記主被写体の位置付近の前記測光センサの出力パターンを切り出して記憶する記憶工程と、
撮影時の前記測光センサの出力パターンと、前記記憶工程において記憶された前記測光センサの出力パターンとを比較して、撮影時の前記主被写体の位置を予測する予測工程と、
前記撮像素子により撮影された画像から、前記予測工程において予測された前記主被写体の位置付近の画像を切り出して人物の顔を検出する顔検出工程と、
を具備することを特徴とする撮像装置の制御方法。
【請求項１２】
請求項１０または１１に記載の制御方法をコンピュータに実行させるためのプログラム。
【請求項１３】
請求項１２に記載のプログラムを記憶したコンピュータ読み取り可能な記憶媒体。
【手続補正２】
【補正対象書類名】明細書
【補正対象項目名】０００６
【補正方法】変更
【補正の内容】
【０００６】
上述した課題を解決し、目的を達成するために、本発明に係わる撮像装置は、光学像を電気信号に変換する撮像素子を有する撮像装置であって、ファインダ内の複数の焦点検出エリアからいずれかの焦点検出エリアを選択する選択手段と、前記選択手段により選択された焦点検出エリアに対応する位置にいる被写体である主被写体に、撮影レンズのフォーカスを固定するフォーカスロック手段と、前記撮像装置の振れを検出する振れ検出手段と、前記振れ検出手段の検出結果に基づいて、前記フォーカスロック手段によりフォーカスを固定した時点から撮影を行なう時点までの間の前記主被写体の位置ずれ量を算出し、前記主被写体の位置を予測する予測手段と、前記撮像素子により撮影された画像から、前記予測手段により予測された前記主被写体の位置付近の画像を切り出して人物の顔を検出する顔検出手段と、を具備することを特徴とする。
【手続補正３】
【補正対象書類名】明細書
【補正対象項目名】０００７
【補正方法】変更
【補正の内容】
【０００７】
また、本発明に係わる撮像装置は、光学像を電気信号に変換する撮像素子を有する撮像装置であって、ファインダ内の複数の焦点検出エリアからいずれかの焦点検出エリアを選択する選択手段と、前記選択手段により選択された焦点検出エリアに対応する位置にいる被写体である主被写体に、撮影レンズのフォーカスを固定するフォーカスロック手段と、被写体輝度を検出する複数の画素を有する測光センサと、前記フォーカスロック手段によりフォーカスを固定した前記主被写体の位置付近の前記測光センサの出力パターンを切り出して記憶する記憶手段と、撮影時の前記測光センサの出力パターンと、前記記憶手段に記憶されている前記測光センサの出力パターンとを比較して、撮影時の前記主被写体の位置を予測する予測手段と、前記撮像素子により撮影された画像から、前記予測手段により予測された前記主被写体の位置付近の画像を切り出して人物の顔を検出する顔検出手段と、を具備することを特徴とする。
【手続補正４】
【補正対象書類名】明細書
【補正対象項目名】０００８
【補正方法】変更
【補正の内容】
【０００８】
また、本発明に係わる撮像装置の制御方法は、光学像を電気信号に変換する撮像素子と、ファインダ内の複数の焦点検出エリアからいずれかの焦点検出エリアを選択する選択手段と、該選択手段により選択された焦点検出エリアに対応する位置にいる被写体である主被写体に、撮影レンズのフォーカスを固定するフォーカスロック手段と、を有する撮像装置を制御する方法であって、前記撮像装置の振れを検出する振れ検出工程と、前記振れ検出工程の検出結果に基づいて、前記フォーカスロック手段によりフォーカスを固定した時点から撮影を行なう時点までの間の前記主被写体の位置ずれ量を算出し、前記主被写体の位置を予測する予測工程と、前記撮像素子により撮影された画像から、前記予測工程において予測された前記主被写体の位置付近の画像を切り出して人物の顔を検出する顔検出工程と、を具備することを特徴とする。
【手続補正５】
【補正対象書類名】明細書
【補正対象項目名】０００９
【補正方法】変更
【補正の内容】
【０００９】
また、本発明に係わる撮像装置の制御方法は、光学像を電気信号に変換する撮像素子と、ファインダ内の複数の焦点検出エリアからいずれかの焦点検出エリアを選択する選択手段と、該選択手段により選択された焦点検出エリアに対応する位置にいる被写体である主被写体に、撮影レンズのフォーカスを固定するフォーカスロック手段と、被写体輝度を検出する複数の画素を有する測光センサと、を有する撮像装置を制御する方法であって、前記フォーカスロック手段によりフォーカスを固定した前記主被写体の位置付近の前記測光センサの出力パターンを切り出して記憶する記憶工程と、撮影時の前記測光センサの出力パターンと、前記記憶工程において記憶された前記測光センサの出力パターンとを比較して、撮影時の前記主被写体の位置を予測する予測工程と、前記撮像素子により撮影された画像から、前記予測工程において予測された前記主被写体の位置付近の画像を切り出して人物の顔を検出する顔検出工程と、を具備することを特徴とする。